【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
直流電力を交流電力系統に連係させつつ交流に変換して負荷に供給し、前記交流電力系統との連係を離れて単独運転をはじめた際にインバータ出力電圧に生じる周波数変動、もしくはその周波数変動に起因する変動を検出してインバータ主回路の単独運転を検知する単独運転検知手段を有する系統連係インバータ装置において、負荷電圧の周波数が定格周波数を含む所定の周波数区間の範囲内にある場合は、その波形の１周期分を任意の自然数回連結した余弦波形であってその出力周波数が上昇する電流歪を付与する第１の電流波形と、その波形の半周期分を１を除く任意の奇数回連結した余弦波形であってその出力周波数が下降する電流歪を付与する第２の電流波形を連結して繰り返して出力するか、または、その波形の半周期分を１を除く任意の奇数回連結した余弦波形であってその出力周波数が上昇する電流歪を付与する第３の電流波形と、その波形の１周期分を任意の自然数回連結した余弦波形であってその出力周波数が下降する電流歪を付与する第４の電流波形を連結して繰り返して出力し、前記第１、前記第２、前記第３または前記第４の電流波形のいずれか１つの電流波形が出力を完了する時点から最短時間で発生する負荷電圧のピークポイントにおいて、インバータ出力電流の位相が負荷電圧の位相に一致するようにし、前記第１、前記第２、前記第３または前記第４の電流波形を連結する結合点において、その変位または位相が連続でその周波数が不連続な周波数変動をともなう電流歪を付与する電流歪付与手段を備えることを特徴とするインバータ装置。
【請求項２】
１周期分の余弦波形であってその出力周波数が上昇する電流歪を付与する第１の電流波形と、１．５周期分の余弦波形であってその出力周波数が下降する電流歪を付与する第２の電流波形を連結して繰り返して出力し、前記第２の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項３】
１周期分の余弦波形であってその出力周波数が上昇する電流歪を付与する第１の電流波形と、１．５周期分の余弦波形であってその出力周波数が下降する電流歪を付与する第２の電流波形を連結して繰り返して出力し、前記第１の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項４】
１．５周期分の余弦波形であってその出力周波数が上昇する電流歪を付与する第３の電流波形と、１周期分の余弦波形であってその出力周波数が下降する電流歪を付与する第４の電流波形を連結して繰り返して出力し、前記第４の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項５】
１．５周期分の余弦波形であってその出力周波数が上昇する電流歪を付与する第３の電流波形と、１周期分の余弦波形であってその出力周波数が下降する電流歪を付与する第４の電流波形を連結して繰り返して出力し、前記第３の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項６】
その波形の１周期分を任意の自然数回連結した余弦波形であってその出力周波数が上昇する電流歪を付与する第１の電流波形と、その波形の半周期分を１を除く任意の奇数回連結した余弦波形であってその出力周波数が下降する電流歪を付与する第２の電流波形を連結して繰り返して出力し、前記第２の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項７】
その波形の１周期分を任意の自然数回連結した余弦波形であってその出力周波数が上昇する電流歪を付与する第１の電流波形と、その波形の半周期分を１を除く任意の奇数回連結した余弦波形であってその出力周波数が下降する電流歪を付与する第２の電流波形を連結して繰り返して出力し、前記第１の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項８】
その波形の半周期分を１を除く任意の奇数回連結した余弦波形であってその出力周波数が上昇する電流歪を付与する第３の電流波形と、その波形の１周期分を任意の自然数回連結した余弦波形であってその出力周波数が下降する電流歪を付与する第４の電流波形を連結して繰り返して出力し、前記第４の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項９】
その波形の半周期分を１を除く任意の奇数回連結した余弦波形であってその出力周波数が上昇する電流歪を付与する第３の電流波形と、その波形の１周期分を任意の自然数回連結した余弦波形であってその出力周波数が下降する電流歪を付与する第４の電流波形を連結して繰り返して出力し、前記第３の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置。
【請求項１０】
前記電流歪付与手段は、負荷電圧の極性が負から正に変動するタイミングと、その後検出される負荷電圧の極性が負から正に変動するタイミングまでの経過時間を、該経過時間内に出現する負荷電圧一周期分の出現個数で除算して求めた負荷電圧の周期の移動平均を電圧周期として決定する電圧周期演算手段と、負荷電圧の極性が負から正に変動するタイミングから前記電圧周期の４分の１に相当する期間を経過させたタイミングと前記電圧周期の４分の３に相当する期間を経過させたタイミングをピークポイントとして決定するピークポイント検出手段を備えることを特徴とする請求項１、２、３、４、５、６、７、８または請求項９記載のインバータ装置。
【請求項１１】
前記電流歪付与手段は、負荷電圧の極性が正から負に変動するタイミングと、その後検出される負荷電圧の極性が正から負に変動するタイミングまでの経過時間を、該経過時間内に出現する負荷電圧一周期分の出現個数で除算して求めた負荷電圧の周期の移動平均を電圧周期として決定する電圧周期演算手段と、負荷電圧の極性が正から負に変動するタイミングから前記電圧周期の４分の１に相当する期間を経過させたタイミングと前記電圧周期の４分の３に相当する期間を経過させたタイミングをピークポイントとして決定するピークポイント検出手段を備えることを特徴とする請求項１、２、３、４、５、６、７、８または請求項９記載のインバータ装置。
【請求項１２】
前記電流歪付与手段は、負荷電圧の極性が正から負または負から正に変動するタイミングから、負荷電圧の極性が正から負または負から正に変動する次のタイミングまでの経過時間を負荷電圧の半周期として検出し、該半周期の逆数の２倍を負荷電圧の周波数として検出する電圧周波数検出手段を備えることを特徴とする請求項１、２、３、４、５、６、７、８または請求項９記載のインバータ装置。
【請求項１３】
前記電流歪付与手段は、負荷電圧の周波数が定格周波数を含む前記所定の周波数区間の範囲外にある場合は、負荷電圧の周波数変化に応じて正帰還ループでインバータ出力周波数が変化するような電流歪を付与する電流波形を出力することを特徴とする請求項１、２、３、４、５、６、７、８または請求項９記載のインバータ装置。
【請求項１４】
前記電流歪付与手段は、負荷電圧の周波数が定格周波数を含む前記所定の周波数区間の範囲外にある場合は、前記交流電力系統との連係を離れて単独運転をはじめたと判定する周波数異常検出手段を有することを特徴とする請求項１、２、３、４、５、６、７、８または請求項９記載のインバータ装置。
【手続補正２】
【補正対象書類名】明細書
【補正対象項目名】００３０
【補正方法】変更
【補正の内容】
【００３０】
また、１周期分の余弦波形であってその出力周波数が上昇する電流歪を付与する第１の電流波形と、１．５周期分の余弦波形であってその出力周波数が下降する電流歪を付与する第２の電流波形を連結して繰り返して出力し、前記第２の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置としたものである。
【手続補正３】
【補正対象書類名】明細書
【補正対象項目名】００３４
【補正方法】変更
【補正の内容】
【００３４】
また、１周期分の余弦波形であってその出力周波数が上昇する電流歪を付与する第１の電流波形と、１．５周期分の余弦波形であってその出力周波数が下降する電流歪を付与する第２の電流波形を連結して繰り返して出力し、前記第１の電流波形が出力を完了する時点から最短時間で発生する負荷電圧のピークポイントにおいて、インバータ出力電流の位相が、負荷電圧の位相に一致するようにした前記電流歪付与手段を備えたことを特徴とする請求項１記載のインバータ装置としたものである。